(57)【要約】      （修正有）【課題】ユーザが別途のツールなしに手でつけまつげの先端を把持して容易に取り外せるようにするつけまつげハウジングを提供する。【解決手段】少なくとも１つ以上のつけまつげ１１の一側が固定されたハウジングの一側２１ａが、ハウジングの他側２１ｂから折り曲げられるかまたは回転し、つけまつげ１１の他側がハウジングから離隔され、ユーザがつけまつげ１１を把持しやすいようにする。つけまつげが固定された一側を他側から折り曲げるかまたは回転させることによって、つけまつげの先端がリフトアップされ、つけまつげの先端の直下に把持補助空間が形成される。【選択図】図１
0003202935.tif 000002
【実用新案登録請求の範囲】
【請求項１】
少なくとも１つ以上のつけまつげの一側が固定されたハウジングの一側が、ハウジングの他側から折り曲げられるかまたは回転し、前記つけまつげの他側が前記ハウジングから離隔され、ユーザが前記つけまつげを把持しやすいようにすることを特徴とする、つけまつげハウジング。
【請求項２】
ハウジングの一側に位置し、少なくとも１つ以上のつけまつげが固定される１つ以上の固定部；を含み、
前記ハウジングの一側が、前記ハウジングの一側の反対方向であるハウジングの他側から折り曲げられるかまたは回転し、前記固定部のつけまつげが位置する部分がハウジングから離隔され、前記固定部と前記ハウジングとの間に空間が形成されることを特徴とする、つけまつげハウジング。
【請求項３】
前記固定部は、
前記ハウジングと当接する線に沿って一体化または離隔された複数個の溝が形成され、前記固定部を前記ハウジングと当接する線に沿って前記ハウジングから分離することを特徴とする、請求項２に記載のつけまつげハウジング。
【請求項４】
前記固定部が前記ハウジングと当接する線に沿って一体化または離隔された複数個の溝が形成され、前記固定部が前記ハウジングと当接する線に沿って前記固定部を含む前記ハウジングの一側が前記ハウジングの他側から分離されることを特徴とする、請求項２に記載のつけまつげハウジング。
【請求項５】
ハウジングの一側に突出形成された支持部と；
前記支持部の側面から突出し、少なくとも１つ以上のつけまつげが固定される１つ以上の固定部と；を含み、
前記支持部は、前記ハウジングの他側から折り曲げられるかまたは回転し、前記固定部が前記ハウジングから離隔され、前記固定部と前記ハウジングとの間に空間が形成されることを特徴とする、つけまつげハウジング。
【請求項６】
複数個の前記固定部は、
前記支持部の同じ側面に互いに当接して形成されるか、前記支持部の同じ側面に互いに離隔して形成されるか、または前記支持部の互いに異なる側面にそれぞれ形成されることを特徴とする、請求項５に記載のつけまつげハウジング。
【請求項７】
前記ハウジングの他側に突出形成され、前記つけまつげを前記ハウジング外部から保護する保護部と；
前記保護部の一側面に位置し、前記つけまつげが前記保護部に触れることを防止するために傾斜形成された保護面と；
前記支持部が突出した方向の反対方向または前記支持部が突出した方向のうち少なくとも１つ以上の方向に突出し、前記ハウジングの周りに沿って一体化または互いに離隔された複数個で形成され、前記ハウジングを支持する側面支持部と；をさらに含み、
前記側面支持部は、
軟性を有することによって、前記支持部が前記ハウジングの他側から折り曲げられるかまたは回転したとき、前記側面支持部が前記ハウジングの内側または外側に折り曲げられ、前記支持部が前記ハウジングの他側から折り曲げられるかまたは回転することを容易にすることを特徴とする、請求項６に記載のつけまつげハウジング。
【請求項８】
前記支持部と前記固定部が前記ハウジングと当接する線に沿って前記側面支持部に延長形成した線には、一体化または離隔された複数個の溝が形成され、前記支持部と前記固定部が前記ハウジングと当接する線に沿って前記ハウジングから分離されることを特徴とする、請求項５〜７のいずれかに記載のつけまつげハウジング。
【請求項９】
つけまつげの一側が挿入される１つ以上の挿入口と；
挿入口と挿入口の間の前記つけまつげが位置する面から突出形成され、隣接する２つの挿入口を区切ることによって分離する離隔部と；
前記挿入口に挿入されたつけまつげの他側を保持することによって、前記つけまつげを保護する保持部と；
前記離隔部と前記保持部との間に位置し、前記離隔部が前記保持部から折り曲げられるかまたは回転する場合、折り曲げまたは回転を容易にするための折り目と；を含み、
前記離隔部を前記保持部から折り曲げるかまたは回転させれば、前記折り目を中心に前記ハウジングが広がって空間が形成され、且つ前記挿入口が位置する部分が前記離隔部とともに傾くようになって、前記つけまつげが前記ハウジングから離隔することを特徴とする、つけまつげハウジング。
【請求項１０】
前記離隔部が突出した方向の反対方向または前記離隔部が突出した方向のうち少なくとも１つ以上の方向に突出し、前記ハウジングの周りに沿って一体化または互いに離隔された複数個で形成され、前記ハウジングを支持する側面支持部；をさらに含み、
前記側面支持部は、
軟性を有することによって、前記離隔部が前記保持部から折り曲げられるかまたは回転したとき、前記側面支持部が前記ハウジングの内側または外側に折り曲げられ、前記離隔部が前記保持部から折り曲げられるかまたは回転することを容易にすることを特徴とする、請求項９に記載のつけまつげハウジング。
【考案の詳細な説明】
【技術分野】
【０００１】
本考案は、つけまつげハウジングに関し、特に、一側を他側から折り曲げるかまたは回転させることによって、固定されたつけまつげの直下に把持補助空間が形成され、且つつけまつげの先端がリフトアップされ、把持しやすい状態になるようにするつけまつげハウジングに関する。
【背景技術】
【０００２】
従来のつけまつげハウジングは、ユーザがつけまつげを把持するに際して、把持空間が狭いため、つけまつげハウジングに固定されたつけまつげを取り外す過程で、つけまつげの毛間の連結された部分が切れたり、または毛が折れたりするなどの損傷があった。
【０００３】
一方、前記問題点を解決するためのつけまつげハウジングと関連した従来技術として、韓国実用新案登録第２０−２０００−００３１８２８号公報（２００１年１月３０日登録、人造まつげ用収納ケース）を例示することができる。
【０００４】
当該特許文献では、「人造まつげを固定・保管する空間を設けた保持溝を一体に形成した保持フレームと、前記保持フレームの外側の上部には、透明材よりなる透明カバーとで構成された公知の人造まつげ収納ケースにおいて、前記保持溝には、前記人造まつげの接着部を一定間隔離隔するように隙間を設ける離隔部と、前記人造まつげの接着部が弧形を成し、その両側の端部を接着するように対応する面を有する突出支持部とを含むことを特徴とする人造まつげ用収納ケース」が開示されている。
【先行技術文献】
【特許文献】
【０００５】
【特許文献１】韓国登録実用新案第２０−２０００−００３１８２８号公報
【考案の概要】
【考案が解決しようとする課題】
【０００６】
しかし、上記特許文献など従来のつけまつげハウジングは、つけまつげの両側のみを固定するため、つけまつげの中間を支持する構成がなく、つけまつげの重さが中央にかたよるようになり、保管中につけまつげが上下に揺れ、つけまつげの中心を主としてその周辺の毛髪が損傷されたり、切れたりすることがあるという問題点がある。
【０００７】
本考案は、前述した問題点を解決するためになされたものであって、本考案の目的は、つけまつげが固定された一側を他側から折り曲げるかまたは回転させることによって、つけまつげの先端がリフトアップされ、つけまつげの先端の直下に把持補助空間が形成されることによって、ユーザが別途のツールなしに手でつけまつげの先端を把持し、取り外しやすいようにしたつけまつげハウジングを提供することにある。
【課題を解決するための手段】
【０００８】
上記目的を達成するための本考案によるつけまつげハウジングは、少なくとも１つ以上のつけまつげの一側が固定されたハウジングの一側が、ハウジングの他側から折り曲げられるかまたは回転し、前記つけまつげの他側が前記ハウジングから離隔され、ユーザが前記つけまつげを把持しやすいようにすることを特徴とする。
【０００９】
このような特徴を有する実施形態において、ハウジングの一側に位置し、少なくとも１つ以上のつけまつげが固定される１つ以上の固定部を含み、前記ハウジングの一側が前記ハウジングの一側の反対方向であるハウジングの他側から折り曲げられるかまたは回転し、前記固定部のつけまつげが位置する部分がハウジングから離隔され、前記固定部と前記ハウジングとの間に空間が形成され、前記固定部は、前記ハウジングと当接する線に沿って一体化または離隔された複数個の溝が形成され、前記固定部を前記ハウジングと当接する線に沿って前記ハウジングから分離するか、または、前記固定部が前記ハウジングと当接する線に沿って一体化または離隔された複数個の溝が形成され、前記固定部が前記ハウジングと当接する線に沿って前記固定部を含む前記ハウジングの一側が前記ハウジングの他側から分離されることを特徴とする。
【００１０】
他の実施形態において、ハウジングの一側に突出形成された支持部と、前記支持部の側面から突出し、少なくとも１つ以上のつけまつげが固定される１つ以上の固定部とを含み、前記支持部は、前記ハウジングの他側から折り曲げられるかまたは回転し、前記固定部が前記ハウジングから離隔され、前記固定部と前記ハウジングとの間に空間が形成され、複数の前記固定部は、前記支持部の同じ側面に互いに当接して形成されるか、前記支持部の同じ側面に互いに離隔して形成されるか、または前記支持部の互いに異なる側面にそれぞれ形成され、前記ハウジングの他側に突出形成され、前記つけまつげを前記ハウジングの外部から保護する保護部と、前記保護部の一側面に位置し、前記つけまつげが前記保護部に触れることを防止するために傾斜形成された保護面と、前記支持部が突出した方向の反対方向または前記支持部が突出した方向のうち少なくとも１つ以上の方向に突出し、前記ハウジングの周りに沿って一体化または互いに離隔された複数個で形成され、前記ハウジングを支持する側面支持部とをさらに含む。
【００１１】
この際、前記側面支持部は、軟性を有することによって、前記支持部が前記ハウジングの他側から折り曲げられるかまたは回転したとき、前記側面支持部が前記ハウジングの内側または外側に折り曲げられ、前記支持部が前記ハウジングの他側から折り曲げられるかまたは回転することを容易にすることを特徴とし、前記支持部と前記固定部が前記ハウジングと当接する線に沿って前記側面支持部に延長形成された線には、一体化または離隔された複数個の溝が形成され、前記支持部と前記固定部が前記ハウジングと当接する線に沿って前記ハウジングから分離されることができる。
【００１２】
また、さらに他の実施形態において、つけまつげの一側が挿入される１つ以上の挿入口と、挿入口と挿入口との間の前記つけまつげが位置する面から突出形成し、隣接する２つの挿入口を区切ることによって分離する離隔部と、前記挿入口に挿入されたつけまつげの他側を保持することによって、前記つけまつげを保護する保持部と、前記離隔部と前記保持部の間に位置し、前記離隔部が前記保持部から折り曲げられるかまたは回転する場合、折り曲げまたは回転を容易にするための折り目とを含み、前記離隔部を前記保持部から折り曲げるかまたは回転させれば、前記折り目を中心に前記ハウジングが広がって空間が形成され、且つ前記挿入口が位置する部分が前記離隔部とともに傾くようになって、前記つけまつげが前記ハウジングから離隔され、前記離隔部が突出した方向の反対方向または前記離隔部が突出した方向のうち少なくとも１つ以上の方向に突出し、前記ハウジングの周りに沿って一体化または互いに離隔された複数個で形成され、前記ハウジングを支持する側面支持部をさらに含み、前記側面支持部は、軟性を有することによって、前記離隔部が前記保持部から折り曲げられるかまたは回転したとき、前記側面支持部が前記ハウジングの内側または外側に折り曲げられ、前記離隔部が前記保持部から折り曲げられるかまたは回転することを容易にする。
【考案の効果】
【００１３】
以上説明したような本考案のつけまつげハウジングは、つけまつげが固定された一側を他側から折り曲げるかまたは回転させることによって、つけまつげの先端がリフトアップされ、つけまつげの先端の直下に空間が形成されることによって、ユーザが別途のツールなしに手でつけまつげの先端を把持して取り外すことが容易である。
【図面の簡単な説明】
【００１４】
【図１】本考案の好ましい実施形態によるつけまつげハウジングの実施形態を示す図である。
【図２】本考案の好ましい実施形態による溝が形成されたつけまつげハウジングの変形例を示す図である。
【図３】本考案の好ましい実施形態による溝が形成されたつけまつげハウジングの変形例を示す図である。
【図４】本考案の好ましい実施形態によるつけまつげハウジングの実施形態を示す図である。
【図５】本考案の好ましい実施形態によるつけまつげハウジングの実施形態を示す図である。
【図６】本考案の好ましい実施形態によるつけまつげハウジングの実施形態を示す図である。
【図７】図６の支持部が保護部から折り曲げられるかまたは回転したときの状態を示す図である。
【図８】図６の側面を示す図である。
【図９】図７の側面を示す図である。
【図１０】本考案の好ましい実施形態による溝が形成されたつけまつげハウジングの変形例を示す図である。
【図１１】本考案の好ましい実施形態による溝が形成されたつけまつげハウジングの変形例を示す図である。
【考案を実施するための形態】
【００１５】
以下、添付の図面を参照しながら本考案による好ましい実施形態を詳しく説明する。これに先立って、本明細書及び請求範囲に使用された用語や単語は、通常的または辞書的な意味に限定して解釈すべきものではなく、考案者は、自分の考案を最善の方法で説明するために用語の概念を適切に定義することができるという原則に基づいて、本考案の技術的思想に符合する意味や概念として解釈すべきである。
【００１６】
したがって、本明細書に記載した実施形態と図面に示された構成は、本考案の最も好ましい一実施形態に過ぎず、本考案の技術的思想をすべて代弁するものではないので、本出願時点においてこれらを代替することができる多様な均等物と変形例があり得ることを理解しなければならない。
【００１７】
本考案のつけまつげハウジングは、少なくとも１つ以上のつけまつげの一側が固定されたハウジングの一側が、ハウジングの他側から折り曲げられるかまたは回転し、つけまつげの他側がハウジングから離隔し、ユーザがつけまつげを把持しやすいようにすることを特徴とする。図１、図４〜図６には、このような特徴を有するつけまつげハウジングの変形例が示されている。
【００１８】
図１によれば、本考案のつけまつげハウジングは、ハウジングの一側２１ａに位置し、少なくとも１つ以上のつけまつげ１１が固定される１つ以上の固定部４１を含むことによって、ハウジングの一側２１ａがハウジングの一側２１ａの反対方向であるハウジングの他側２１ｂから、すなわち、ａ方向に折り曲げられるかまたは回転し、固定部４１のつけまつげ１１が位置する部分がハウジングから離隔され、固定部４１とハウジングとの間に空間５１が形成される。
【００１９】
この際、図２及び図３に示されたように、固定部４２、４３は、ハウジングと当接する線に沿って一体化または離隔された複数個の溝７１、７２をさらに形成することによって、固定部４２、４３をハウジングと当接する線に沿ってハウジングから分離することができる。
【００２０】
また、図１１に示されたように、固定部４７がハウジングと当接する線に沿って一体化または離隔された複数個の溝７４が形成され、固定部４７がハウジングと当接する線に沿って固定部４７を含むハウジングの一側２２ａがハウジングの他側２２ｂから分離されることも可能である。
【００２１】
図５によれば、本考案のつけまつげハウジングは、挿入口８１、離隔部８２、保持部８３及び折り目を含む。
【００２２】
離隔部８２は、つけまつげ１５の一側が挿入される１つ以上の挿入口８１と挿入口８１の間のつけまつげ１５が位置する面から突出形成され、隣接する２つの挿入口８１を区切ることによって分離し、保持部８３は、挿入口８１に挿入されたつけまつげ１５の他側を保持することによって、つけまつげ１５を保護する。
【００２３】
折り目は、離隔部８２と保持部８３との間に位置し、離隔部８２が保持部８３から、すなわち、ｃ方向に折り曲げられるかまたは回転する場合、折り曲げまたは回転を容易にする。
【００２４】
折り目を構成することによって、離隔部８２をｃ方向に折り曲げられるかまたは回転すれば、折り目を中心にハウジングが広がって空間５３が形成され、且つ挿入口８１が位置する部分が離隔部８２とともに傾くようになって、つけまつげ１５がハウジングから離隔されることが容易になる。
【００２５】
図示のように、本考案のつけまつげハウジングは、離隔部８２が突出した方向の反対方向または離隔部８２が突出した方向のうち少なくとも１つ以上の方向に突出し、ハウジングの周りに沿って一体化または互いに離隔された複数個で形成され、ハウジングを支持する側面支持部３５をさらに含むことができる。
【００２６】
側面支持部３５は、軟性を有することによって、離隔部８２がｃ方向に折り曲げられるかまたは回転したとき、側面支持部３５がハウジングの内側または外側に折り曲げられ、離隔部８２が保持部８３から折り曲げられるかまたは回転することを助ける。
【００２７】
図４によれば、本考案のつけまつげハウジングは、支持部６１及び固定部４４を含む。
固定部４４は、ハウジングの一側に突出形成された支持部６１の側面６１ａ、６１ｂから突出し、少なくとも１つ以上のつけまつげ１４が固定され、図示のように１つ以上で形成される。
【００２８】
支持部６１は、ハウジングの他側から、すなわち、ｂ方向に折り曲げられるかまたは回転し、固定部４４がハウジングから離隔され、固定部４４とハウジングとの間に空間５２が形成され、複数個の固定部４４は、支持部６１の互いに異なる側面６１ａ、６１ｂにそれぞれ形成されるか、図６に示されたように、支持部６２の同じ側面６２ａに互いに離隔して形成されてもよく、図示してはいないが、支持部の同じ側面に互いに隣接して形成されることも可能である。
【００２９】
図６及び図８によれば、固定部４５がハウジングの一側に突出形成された支持部６２の同じ側面６２ａに互いに離隔して形成され、保護部９０、保護面９１及び側面支持部３６をさらに含む。
【００３０】
保護面９１は、ハウジングの他側に突出形成され、つけまつげ１６をハウジング外部から保護する保護部９０の一側面に位置し、つけまつげ１６が保護部９０に触れることを防止するために傾斜形成され、側面支持部３６は、支持部６２が突出した方向の反対方向または支持部６２が突出した方向のうち少なくとも１つ以上の方向に突出し、ハウジングの周りに沿って一体化または互いに離隔された複数個で形成され、ハウジングを支持する。
【００３１】
図７及び図９に示されたように、側面支持部３６は、軟性を有することによって、支持部６２がハウジングの他側から、すなわち、ｄ方向に折り曲げられるかまたは回転したとき、側面支持部３６がハウジングの内側または外側に折り曲げられ、支持部６２がｄ方向に折り曲げられるかまたは回転することを容易にする。
【００３２】
また、図１０に示されたように、支持部６３と固定部４６がハウジングと当接する線に沿って側面支持部３７に延長形成された線には、一体化または離隔された複数個の溝７３が形成され、支持部６３と固定部４６がハウジングと当接する線に沿ってハウジングから分離されることができる。
【００３３】
このような構成によって、本考案のつけまつげハウジングは、つけまつげが固定された一側を他側から折り曲げるかまたは回転させることによって、つけまつげの先端がリフトアップされ、つけまつげの先端の直下に空間が形成されることによって、ユーザが別途のツールなしに手でつけまつげの先端を把持して取り外すことが容易になる。
【００３４】
以上のように、本考案は、たとえ限定された実施形態と図面によって説明されていても、本考案は、これによって限定されず、本考案の属する技術分野における通常の知識を有する者によって本考案の技術思想と請求範囲の均等範囲内で多様な修正及び変形が可能であることはもちろんである。
【符号の説明】
【００３５】
１１、１２、１３、１４、１５、１６、１７、１８  つけまつげ
２１ａ、２２ａ  ハウジングの一側
２１ｂ、２２ｂ  ハウジングの他側
３１、３２、３３、３４、３５、３６、３７、３８  側面支持部
４１、４２、４３、４４、４５、４６、４７  固定部
５１、５２、５３、５４  空間
６１、６２、６３  支持部
６１ａ、６１ｂ、６２ａ  支持部の側面
７１、７２、７３、７４  溝
８１  挿入口
８２  離隔部
８３  保持部
９０、９２  保護部
９１、９３  保護面
【図１】
0003202935.tif 000003
【図２】
0003202935.tif 000004
【図３】
0003202935.tif 000005
【図４】
0003202935.tif 000006
【図５】
0003202935.tif 000007
【図６】
0003202935.tif 000008
【図７】
0003202935.tif 000009
【図８】
0003202935.tif 000010
【図９】
0003202935.tif 000011
【図１０】
0003202935.tif 000012
【図１１】
0003202935.tif 000013
【手続補正書】
【提出日】平成27年12月25日(2015.12.25)
【手続補正１】
【補正対象書類名】実用新案登録請求の範囲
【補正対象項目名】全文
【補正方法】変更
【補正の内容】
【実用新案登録請求の範囲】
【請求項１】
少なくとも１つ以上のつけまつげの一側が固定されたハウジングの一側が、ハウジングの他側から折り曲げられるかまたは回転し、前記つけまつげの他側が前記ハウジングから離隔され、ユーザが前記つけまつげを把持しやすいようにすることを特徴とする、つけまつげハウジング。
【請求項２】
ハウジングの一側に位置し、少なくとも１つ以上のつけまつげが固定される１つ以上の固定部；を含み、
前記ハウジングの一側が、前記ハウジングの一側の反対方向であるハウジングの他側から折り曲げられるかまたは回転し、前記固定部のつけまつげが位置する部分がハウジングから離隔され、前記固定部と前記ハウジングとの間に空間が形成されることを特徴とする、つけまつげハウジング。
【請求項３】
前記固定部は、
前記ハウジングと当接する線に沿って一体化または離隔された複数個の溝が形成され、前記固定部を前記ハウジングと当接する線に沿って前記ハウジングから分離することを特徴とする、請求項２に記載のつけまつげハウジング。
【請求項４】
前記固定部が前記ハウジングと当接する線に沿って一体化または離隔された複数個の溝が形成され、前記固定部が前記ハウジングと当接する線に沿って前記固定部を含む前記ハウジングの一側が前記ハウジングの他側から分離されることを特徴とする、請求項２に記載のつけまつげハウジング。
【請求項５】
ハウジングの一側に突出形成された支持部と；
前記支持部の側面から突出し、少なくとも１つ以上のつけまつげが固定される１つ以上の固定部と；を含み、
前記支持部は、前記ハウジングの他側から折り曲げられるかまたは回転し、前記固定部が前記ハウジングから離隔され、前記固定部と前記ハウジングとの間に空間が形成されることを特徴とする、つけまつげハウジング。
【請求項６】
複数個の前記固定部は、
前記支持部の同じ側面に互いに当接して形成されるか、前記支持部の同じ側面に互いに離隔して形成されるか、または前記支持部の互いに異なる側面にそれぞれ形成されることを特徴とする、請求項５に記載のつけまつげハウジング。
【請求項７】
前記ハウジングの他側に突出形成され、前記つけまつげを前記ハウジング外部から保護する保護部と；
前記保護部の一側面に位置し、前記つけまつげが前記保護部に触れることを防止するために傾斜形成された保護面と；
前記支持部が突出した方向の反対方向または前記支持部が突出した方向のうち少なくとも１つ以上の方向に突出し、前記ハウジングの周りに沿って一体化または互いに離隔された複数個で形成され、前記ハウジングを支持する側面支持部と；をさらに含み、
前記側面支持部は、
軟性を有することによって、前記支持部が前記ハウジングの他側から折り曲げられるかまたは回転したとき、前記側面支持部が前記ハウジングの内側または外側に折り曲げられ、前記支持部が前記ハウジングの他側から折り曲げられるかまたは回転することを容易にすることを特徴とする、請求項６に記載のつけまつげハウジング。
【請求項８】
前記支持部と前記固定部が前記ハウジングと当接する線に沿って前記側面支持部に延長形成した線には、一体化または離隔された複数個の溝が形成され、前記支持部と前記固定部が前記ハウジングと当接する線に沿って前記ハウジングから分離されることを特徴とする、請求項７に記載のつけまつげハウジング。
【請求項９】
つけまつげの一側が挿入される１つ以上の挿入口と；
挿入口と挿入口の間の前記つけまつげが位置する面から突出形成され、隣接する２つの挿入口を区切ることによって分離する離隔部と；
前記挿入口に挿入されたつけまつげの他側を保持することによって、前記つけまつげを保護する保持部と；
前記離隔部と前記保持部との間に位置し、前記離隔部が前記保持部から折り曲げられるかまたは回転する場合、折り曲げまたは回転を容易にするための折り目と；を含み、
前記離隔部を前記保持部から折り曲げるかまたは回転させれば、前記折り目を中心にハウジングが広がって空間が形成され、且つ前記挿入口が位置する部分が前記離隔部とともに傾くようになって、前記つけまつげが前記ハウジングから離隔することを特徴とする、つけまつげハウジング。
【請求項１０】
前記離隔部が突出した方向の反対方向または前記離隔部が突出した方向のうち少なくとも１つ以上の方向に突出し、前記ハウジングの周りに沿って一体化または互いに離隔された複数個で形成され、前記ハウジングを支持する側面支持部；をさらに含み、
前記側面支持部は、
軟性を有することによって、前記離隔部が前記保持部から折り曲げられるかまたは回転したとき、前記側面支持部が前記ハウジングの内側または外側に折り曲げられ、前記離隔部が前記保持部から折り曲げられるかまたは回転することを容易にすることを特徴とする、請求項９に記載のつけまつげハウジング。